(57)【特許請求の範囲】
【請求項１】
エレベータドアに装着されたセーフティシューに反射鏡装置を固定して設ける一方、その光軸反射鏡に投光し、かつ、受光する光軸ライトレー装置を前記ドアと対面する固定部に設けるとともに、前記反射鏡装置にはセーフティシューの動きにより光軸反射鏡間の光路を遮断する遮蔽板を設け、光軸ライトレー装置の投光器から発射された光が光軸反射鏡で反射して受光機に入射される光路を形成し、この光路の遮断により前記ドアの再開のための反転を行い、また、前記光路が遮断されないでセーフティシューが動作した場合に、前記遮蔽板が光路を遮断することにより前記ドアの再開のための反転を行うようにしたことを特徴とするエレベータドアの戸閉安全装置。
【請求項２】
反射鏡装置は、長手方向に沿って長孔が形成された所定長さの保持枠の両端部に、それぞれ同じ方向へ所定角度に曲げた所要長さの反射鏡保持部が形成され、該反射鏡保持部にはスリットが長手方向でそれぞれ形成され、そのスリットに係合するビスを中央部に固定した方形の基板に光軸反射鏡が固定されてなることを特徴とする請求項１に記載のエレベータドアの戸閉安全装置。
【請求項３】
反射鏡装置は、セーフティシューにおけるブーツの中に収納して固定され、ブーツには光軸反射鏡に対応する窓孔が開設されていることを特徴とする請求項１又は２に記載のエレベータドアの戸閉安全装置。
【発明の詳細な説明】
【０００１】
【発明の属する技術分野】
この発明はエレベータドアの戸閉安全装置に関し、特にカードアのセーフティシューに光を照射してその光路の遮断により、戸開後に閉じようとするドア開閉操作の反転を自動的に行って再びカードアを開くようにした戸閉安全装置に関する。
【０００２】
【従来の技術】
エレベータドアは、各階のホールに設けたホールドアとかごに設けたカードアとの二つがあり、かごが指定された階に到着すると、かごのドア開閉装置によってカードアが開くのと連動してホールドアのロックが解除されて連動して開き、かつ、カードアが閉じるとホールドアは弾機の力で自動的に閉じ、かつロックされるようになっている。
【０００３】
カードアが開いた状態から閉じようとする動作に際し、かごから降りようとする人がカードアを停止させようとした場合に、カードアに設けたセーフティシューが動作してこれと連動するスイッチが作動することでドア開閉装置の反転がなされ、これによってカードアが再び開くようにした戸閉安全装置が設けられている。
【０００４】
従来より、この戸閉安全装置には、図７に示すように、メカニカルのセーフティシュー１とマイクロスイッチ２により構成することが、スタンダードな考え方とされて来た。すなわち、セーフティシュー１は、カードア３の先端に平行したブーツ４をリンク５，５で平行移動可能にカードア３に支持し、一方のリンク５をその軸着部から延長部５ａを延長して構成されている。マイクロスイッチ２は、この延長部５ａに接触して動作可能な作動片２ａを有してカードア３に固定され、このマイクロスイッチ２には電気ケーブル６が接続され、その電気ケーブル６はかごの天井部から垂下して配設される。
【０００５】
したがって、ブーツ４に人が接触し、又は、カードア３と対向するドアや固定部に接触して、ブーツ４がリンク５，５を介し上方へ移動すると、リンク５の回動によりマイクロスイッチ２の作動片２ａが延長部５ａにて押されて作動する開又は閉状態を電気的信号として拾い、これを電気ケーブル６を介してドア開閉装置の制御部に入力し、これにより制御部がドア開閉装置の駆動部の反転をさせてカードア３を再び開くようになる。
【０００６】
【発明が解決しようとする課題】
しかしながら、メカニカルのセーフティシュー１とマイクロスイッチ２の構成では、電気ケーブル６は可動側のカードア３に配設されていたので、電気ケーブル６は必然的に固定部分と可動部分とに分かれることとなるから、例えば、電気ケーブル止めの固定部分と可動部分との間での断線やアースが生じることがあり、また、挟み込み断線、挟み込みショート、接触による異音の発生や劣化が生じる可能性が高い。
【０００７】
したがって、ドア周りの点検時には必ず電気ケーブルの損傷状況のチェックが必要であり、また、適時に電気ケーブルやマイクロスイッチの取り替えを行うことが必要となる。しかして、電気ケーブル６の取り替え作業には安全を期すために少なくとも２名の作業員が必要であって、しかも、作業に要する時間も短くはないのが現状である。
【０００８】
また、エレベータドアに窓ガラス７が嵌め込まれている場合には、電気ケーブル６が垂下して揺動する状況や、統一的な配線状況でない場合にはそれがかごやホールの乗客から見えるために、見栄えが良好でない。
【０００９】
そこで、この発明は上記事情に鑑みて、メカニカルのセーフティシュー１とマイクロスイッチ２の構成による電気ケーブル６の不具合を排除せんとするものである。
【００１０】
【課題を解決するための手段】
この発明にかかるエレベータドアの戸閉安全装置は、請求項１記載のように、エレベータドアに装着されたセーフティシューに反射鏡装置を固定して設ける一方、その光軸反射鏡に投光し、かつ、受光する光軸ライトレー装置を前記ドアと対面する固定部に設けるとともに、前記反射鏡装置にはセーフティシューの動きにより光軸反射鏡間の光路を遮断する遮蔽板を設け、光軸ライトレー装置の投光器から発射された光が光軸反射鏡で反射して受光機に入射される光路を形成し、この光路の遮断により前記ドアの再開のための反転を行い、また、前記光路が遮断されないでセーフティシューが動作した場合に、前記遮蔽板が光路を遮断することにより前記ドアの再開のための反転を行うようにしたことを特徴とする。
【００１１】
したがって、開閉動作するカードアに対面した固定部の投光機から発射された光が反射鏡装置の光軸反射鏡で反射され、固定部の受光機に入射されて光路が形成され、この光路を遮断すると、ドア開閉装置の駆動が反転し、閉じようとしたカードアは自動的に再び開くようにする。
【００１３】
また、光路が遮断されることなくセーフティシューが上動した場合には、遮蔽板が光路を遮断するので、ドア開閉装置の駆動が反転し、閉じようとしたカードアは自動的に再び開くようにするから、ドア開閉時の安全性を確保できる。
【００１４】
その上で、請求項２記載のように、前記反射鏡装置は、長手方向に沿って長孔が形成された所定長さの保持枠の両端部に、それぞれ同じ方向へ所定角度に曲げた所要長さの反射鏡保持部が形成され、該反射鏡保持部にはスリットが長手方向でそれぞれ形成され、そのスリットに係合するビスを中央部に固定した方形の基板に光軸反射鏡が固定されてなることを特徴とする。したがって、反射鏡装置をコンパクト化でき、光軸反射鏡の設定及びその調整が可能で、精度の高い光路の形成ができる。
【００１５】
さらに、請求項３記載のように、前記反射鏡装置は、セーフティシューにおけるブーツの中に収納して固定され、ブーツには光軸反射鏡に対応する窓孔が開設されていることを特徴とする。したがって、反射鏡装置が露出するこなくブーツ内に収容されて見栄えが低下するのを防止できる。
【００１６】
【発明の実施の形態】
以下、この発明の実施の形態を図に基づき説明する。図１及び図２に示すように、エレベータかご８にはそのカードア３のセーフティシュー１におけるブーツ４に反射鏡装置１０を固定して取付ける一方、この反射鏡装置１０に対面してカードアエントランス側の固定部９に光軸ライトレー装置１１を固定して取り付ける。
【００１７】
反射鏡装置１０は、図３に示すように、溝型材からなる所定長さの保持枠１２の両端部に、それぞれ外側方向へ１３５度に曲げた所要長さの反射鏡保持部１３が形成され、この反射鏡保持部１３にはスリット１４が長手方向でそれぞれ形成され、そのスリット１４に係合してワッシャー１８及びナット１９で固定するビス１５を中央部に固定した方形の基板１６に、光軸反射鏡１７が貼設固定されて成る。保持枠１２には長手方向に沿って長孔１２ａが形成されている。
【００１８】
なお、図３において上方の光軸反射鏡１７は、反射鏡保持部１３に直接貼設しているが、図２に示すように下方の光軸反射鏡１７と同じように位置調節可能に設けてもよい。また、図４に示すように、光軸反射鏡１７を角度調節可能にするため、ビス１５を中央部に固定した方形の基板１６をヒンジ３２で保持枠１２に回動可能に支持し、スリット１４にビス１５を係合させてワッシャー１８及びナット１９で固定し、基板１６と反射鏡保持部１３との間にはコイルスプリング３３を介在させ、基板１６と反射鏡保持部１３の角度を調節して光路３０の反射調整を行うことができるようにしてもよい。
【００１９】
この反射鏡装置１０は、図５に示すように、保持枠１２の両側壁部に所定間隔で穿設したビス孔１２ｂと合わせてブーツ４の開口側に穿設したビス孔４ｂにビス３１で固定してブーツ４内に収納され、ブーツ４には光軸反射鏡１７，１７に対応する窓孔４ａ，４ａが開設される。
【００２０】
光軸ライトレー装置１１は投光機２０と受光機２１とから成り、共に光軸反射鏡１７，１７に対面して固定配置される。受光機２１は必要によっては２個を上下に、又は左右に並べて受光率を向上させ、可動側のカードア３のわずかな動きによっても受光できなくなるを防止するのがよい。投光機２０は上段に、受光機２１は下段に配置したが、この逆の配置でもよい。光軸ライトレー装置１１は可動構成を有しないので、これとドア開閉装置とを結ぶ電気ケーブル２２は固定部９に固定して配設でき、したがって、断線等の損傷を危惧することを払拭できる。
【００２１】
一方、図６に示すように、カードア３には光軸カットバー装置２３が設けられる。このカットバー装置２３はコ字形断面の基板２４にコイルスプリング２５で一端側へ突出するバー２６をスライド可能に支持させたもので、基板２４には水平方向の長孔２７，２７を上下２段に形成し、それらの長孔２７，２７にビス２８，２８等を挿入してカードア３に位置調節可能に固定している。バー２６の先端部は前記保持枠１２の長孔１２ａ内に挿入できるフラットな遮蔽板２９が形成されている。この遮蔽板２８は光軸反射鏡１７，１７の光路３０を遮断できる。
【００２２】
したがって、投光機２０から発射された光軸は上段の光軸反射鏡１７に入射してその光軸反射鏡１７で反射し、下段の光軸反射鏡１７に入射してその光軸反射鏡１７で反射して受光機２１に入射する。そのため、投光機２０と光軸反射鏡１７，１７及び受光機２１との間で光路３０が形成され、この光路３０が遮断されるとドア開閉装置のドア閉動作の反転がなされ、カードア３が再開する。
【００２３】
この状態で、かごの乗客が降りようとして光路３０を遮断すると、カードア３は再開する。また、乗客が光路３０を遮断することなくブーツ４に接触すると、ブーツ４が押されてリンク５，５を介しブーツ４は上昇し、カットバー装置２３の遮蔽板２８が保持枠１２の窓孔１８内に進入するので光路３０の遮断が行われるのでドア開閉装置のドア閉動作の反転がなされ、カードア３が再開する。
【００２４】
そして、光路３０が遮断されることなく一定時間が経過することによりカードア３が固定部９に向け移動して戸閉りすると、カードア閉動作の反転がなされて開き動作が可能な状態に切り替えられる。
【００２５】
【発明の効果】
以上説明したこの発明によれば、エレベータドアに反射鏡装置を固定して設ける一方、光軸ライトレー装置を前記ドアと対面する固定部に設けたので、電気ケーブルは固定部にのみ配設すればよく、前記ドアに電気ケーブルを配設することを省略できるため、エレベータドアの動きに関連する電気ケーブルの障害を伴うことがなくなり、したがって、保守・点検を頻繁に行う必要性を削減できる。
【００２６】
また、固定部に電気ケーブルを配設するので、ガラス窓を備えたエレベータドアから電気ケーブルが見える体裁の悪さを解消できる。
【００２７】
さらに、光軸ライトレー装置の投光器から発射された光が光軸反射鏡で反射して受光機に入射される光路を形成し、この光路の遮断によりエレベータドアの再開を行うようにしたから、セーフティシューに物理的に触れることなくしてドア再開がなされるので、安全性が向上する。
【００２８】
また、光路が遮断されずにセーフティシューが動作した場合には、遮蔽板が光路を遮断するようにしたので従来のマイクロスイッチと同じ作用を果たすことができる。
【図面の簡単な説明】
【図１】この発明の実施の形態を示すカードアを開いた状態を示すホール側からの斜視図。
【図２】この発明の要部を示す模式図。
【図３】この発明にかかる反射鏡装置を示す斜視図。
【図４】この発明のかかる反射鏡装置の他の例を示す斜視図。
【図５】ブーツに収納設置した反射鏡装置の例を示す斜視図。
【図６】セーフティシュー作動時に光軸の遮断をするカットバー装置の正面図。
【図７】従来のカードアを示す背面図。
【符号の説明】
１…セーフティシュー
３…カードア
４…ブーツ
４ａ…窓孔
８…エレベータかご
９…固定部
１０…反射鏡装置
１１…光軸ライトレー装置
１２…保持枠
１２ａ…長孔
１３…反射鏡保持部
１４…スリット
１５…ビス
１６…基板
１７…光軸反射鏡
２０…投光機
２１…受光機
２２…電気ケーブル
２３…光軸カットバー装置
２４…基板
２５…スプリング
２６…バー
２７…長孔
２８…ビス
２９…遮蔽板
３０…光路
３１…ヒンジ（蝶番）
【図１】
0004629194.tif 000002
【図２】
0004629194.tif 000003
【図３】
0004629194.tif 000004
【図４】
0004629194.tif 000005
【図５】
0004629194.tif 000006
【図６】
0004629194.tif 000007
【図７】
0004629194.tif 000008